【事件の表示】
　特許第３１７７３０３号「電気掃除機の床用吸込具」の請求項１、２に係る特許に対する特許異議の申立てについて、次のとおり決定する。
【結　論】
　訂正を認める。
　特許第３１７７３０３号の請求項１ないし２に係る特許を取り消す。
【理　由】
〔１〕手続の経緯
　特許第3177303号の請求項１、２に係る発明についての出願は、平成４年６月29日に特許出願され、平成13年４月６日にその発明について特許権が設定登録され、その後、その請求項１、２の特許について、異議申立人岡崎穣より、及びその請求項２の特許について、異議申立人樋口守孝より特許異議の申立てがされ、取消理由通知がされ、その指定期間内である平成14年６月21日に訂正請求がされたものである。
　
〔２〕訂正の適否についての判断
　ア．訂正の内容
　特許権者が求めている訂正の内容は、以下のａ〜ｃのとおりである。
　ａ特許請求の範囲の請求項１及び２の「前記ブレードの回転半径を、前記ブラシ部材の回転半径よりも小さくしたことを特徴とする電気掃除機の床用吸込具」を「前記ブレードの回転半径を、前記ブラシ部材の回転半径よりも小さく
、且つ前記吸込具本体の開口から外側へ出ない寸法に形成
　ｂ発明の詳細な説明中の段落【0007】の「前記ブレードの回転半径を、前記ブラシ部材の回転半径よりも小さくしたことを特徴とする。」を「前記ブレードの回転半径を、前記ブラシ部材の回転半径よりも小さく
、且つ前記吸込具本体の開口から外側へ出ない寸法に形成
　ｃ発明の詳細な説明中の段落【0011】の「前記ブレードの回転半径を、前記ブラシ部材の回転半径よりも小さくしたことを特徴とする。」を「前記ブレードの回転半径を、前記ブラシ部材の回転半径よりも小さく
、且つ前記吸込具本体の開口から外側へ出ない寸法に形成
　イ．訂正の目的の適否、新規事項の有無及び拡張・変更の存否
　上記訂正ａは、請求項１及び２に「且つ前記吸込具本体の開口から外側へ出ない寸法に形成」することをを挿入する訂正であるから、減縮を目的とした訂正であるものと認める。
　そして、願書に添付した明細書（以下、「特許明細書」という。）の発明の詳細な説明中の段落【0019】には、「しかも、吸込具本体１の底面の開口３から外側へ出ない寸法にされている。」と記載されていることから、「且つ前記吸込具本体の開口から外側へ出ない寸法に形成」することは特許明細書に記載されていると認められ、新規事項の追加に該当しない。
　また、上記訂正ｂ，ｃの訂正は、上記訂正ａに基づき特許明細書の記載を整合することであるから、明りょうでない記載の釈明に該当し、新規事項の追加に該当しない。
　そして、いずれの訂正も実質上特許請求の範囲を拡張し、又は変更するものでもない。
　ウ．むすび
　以上のとおりであるから、上記訂正は、特許法等の一部を改正する法律（平成６年法律第116号）附則第６条第１項の規定によりなお従前の例によるとされる特許法第120条の４第３項において準用する平成６年法律第116号による改正前の特許法第126条第１項ただし書、第２項及び第３項の規定に適合するので、当該訂正を認める。
　
〔３〕特許異議の申立てについての判断
ア．本件発明
　上記〔２〕で示したように上記訂正が認められるから、本件の請求項１、２に係る発明（以下、「本件発明１」、「本件発明２」という。）は、上記訂正に係る訂正明細書の特許請求の範囲の請求項１、２に記載された次のとおりのものである。
「【請求項１】底面に開口を有する吸込具本体と、前記開口に臨ませて吸込具本体に収納された回転ブラシとを備え、前記回転ブラシは、回転中心に対して相対向する位置に長手方向に一対の溝が形成された回転体と、前記溝の一方に配設されたブラシ部材と、前記溝の他方に配設された弾性材製の薄板状のブレードとからなり、前記ブレードの回転半径を、前記ブラシ部材の回転半径よりも小さく、且つ前記吸込具本体の開口から外側へ出ない寸法に形成したことを特徴とする電気掃除機の床用吸込具。
【請求項２】底面に開口を有する吸込具本体と、前記開口に臨ませて吸込具本体に収納された回転ブラシとを備え、前記回転ブラシは、回転中心に対して相対向する位置に長手方向に形成された一対の溝が略等間隔複数対形成された回転体と、対の溝に配設されたブラシ部材と、他の対の溝に配設された弾性材製の薄板状のブレードとからなり、前記ブレードの回転半径を、前記ブラシ部材の回転半径よりも小さく、且つ前記吸込具本体の開口から外側へ出ない寸法に形成したことを特徴とする電気掃除機の床用吸込具。」
　
イ．先願明細書に記載された発明
　本件発明１の出願前の出願であって、その出願後に出願公開された特願平3-211843号（特開平5-49566号）の願書に最初に添付した明細書又は図面（以下、「先願明細書１」という。）には、電気掃除機の床用吸込具に関して、図１〜図27とともに以下の事項が記載されている。
(1)「この種の床用吸込具は、一般にパワーブラシと呼ばれ…、図22に概略構造図を示している。図23は図22の要部断面図である。当パワーブラシ１は、吸込口本体２とソリ３と吸口パイプ４とで外観が構成され、内部には、モータ５とこのモータ５を駆動源とし、モータ５の軸止されているギヤ６と回転ブラシ７の回転軸７ａに軸止したギヤ８とを連結するベルト９が設けられている。10は回転ブラシ７の他端に設けられたリングである。」
（段落【0002】）
(2)「また図27のものは、ブレード15を有しているので、畳面を掃除するとき、吸引力によって畳表が吸いあげられ、ブレード15があたって、傷付きの原因にもなっていた。」（段落【0010】）
(3)「また、ブラシ組品のブラシ台にはブラシより短い壁をブラシと平行に設け、ブラシへの糸や髪のからみつきを少なくし、またブレードはゴムや塩化ビニール等の軟質材を用い、ブラシ台と一体に成型し、ブレードの側面にじゅうたんのごみをかき上げるための突起を設ける。」（段落【0019】）
(4)「回転ブラシ21は、回転体22に設けられた溝23にブラシ組品24とブレード組品25が装着されている。…ブラシ組品24はブラシ台(A)26にナイロン等の合成樹脂製のブラシ27を植毛、溶着等で装着したものであり、ブレード組品25は、ブラシ台(B)25aに一体成型したブレード25bを有するものである。…なお、ブラシ組品24のブラシ27の硬さは、毛の太さによって、細いものを用いると軟らかく、太いものを用いると硬くなるので、太さを変えることによって、硬さを変えることができる。なお、ブラシ組品24の高さは、ブレード組品25より若干高くしてある。…また回転体22に設けられた溝23は、ブラシ台26及び25aが挿着されたとき、揺動自在になるようブラシ台26及び25aと溝23は略円形断面形状に形成されている。…さらに、ブラシ台(A)26は、ブラシ台27に沿って、ブラシ27より短い壁26aがブラシ台26に一体に成型してある。一方ブレード組品25のブレード25bの一方の側面に突起25cが複数個設けてある。…また溝23には、溝23と同心の扇形の開口部(A)23aを有したブレード組品25装着用の溝(A)23bと、開口部23aより大きい角度の扇形の開口部(B)23cを有するブラシ組品24装着用の溝(B)23dとに形成してある。」（段落【0034】、【0035】、【0036】、【0037】、【0038】、【0039】）
(5)「いま仮に、回転ブラシ21を正回転（図４で時計方向）した時はじゅうたん、逆回転（図４で反時計方向 ）した時は床、畳の掃除に使用するものとすると、じゅうたん28上では、図４(a)に示すように、ブレード組品はほぼ回転体22の中心と溝(A)23bの中心とを結んだ線上に位置し、じゅうたん28の中に入りこんで突起25cによってごみがかき上げられる。…他方、ブラシ組品24は、図４(b)に示すように、じゅうたん28に当たって、溝(B)23d内でブラシ台26が揺動し、末広がりの開口部(B)23のほぼ同角度だけじゅうたん28面に対して傾斜し、回転ブラシ21の回転に従って、ブラシ組品24はたえずじゅうたん28面を掃く如く状態となる。…また、床面29を掃除する場合は、図４(c)の如くパワーブラシ１に内蔵されたモータ５を図示しない正逆回転手段によって、例えば電流を正(＋)負(−)逆にする切換スイッチで切替えると、モータ５は逆転し、回転ブラシ21はじゅうたんの場合とは逆の回転をする。…この場合は、ブラシ組品24とブレード組品25は前述のじゅうたんの場合と逆の状態となり床面29ではブラシ組品24によって掃除される。なお、ブラシ27はブレード25bより長くしてあり、また、床面29上では、パワーブラシ１は掃除面より沈み込まないので、ブレード組品25は、図４(d)の如く床面29に当接しない。…なお、畳面30上では、吸込力によって畳表が吸い上げられるため、ブラシ組品24は図４(e)の如く回転方向とは逆に湾曲したようになって畳面30を掃く状態となる。またブレード組品25は畳面30に当接するが、溝23b内で揺動して傾動し、図４(f)の如く畳面30を掃く状態となり、ブラシ組品24とブレード組品25によって畳面30が掃除される。」（段落【0050】、【0051】、【0052】、【0053】、【0054】）
　したがって、先願明細書１には、下記の発明が記載されているものと認める。
「底面に開口を有する吸込口本体と、前記開口に臨ませて吸込口本体に収納された回転ブラシ21とを備え、前記回転ブラシ21は、回転中心に対して相対向する位置に長手方向に一対の溝23b，23dが形成された回転体22と、前記溝の一方に配設されたブラシ組品24と、前記溝の他方に配設されたゴムや塩化ビニール等の軟質材よりなる薄板状のブレード組品25とからなり、前記ブレードの回転半径を、前記ブラシ部材の回転半径よりも小さく形成したことを特徴とする電気掃除機の床用吸込具」
　
　本件発明２の出願前の出願であって、その出願後に出願公開された特願平4-63211号（特開平5-261036号）の願書に最初に添付した明細書又は図面（以下、「先願明細書２」という。）には、電気掃除機の吸口に関して、図１〜図16とともに以下の事項が記載されている。
(6)「吸口１は、上ケース２、下ケース３及び、吸口カバー４により外郭を構成し、下ケース３と上ケース２及び吸口カバー４の間に家具等への傷つきを防止するバンパー５を設け、後端部に上下回転自在なケーシング６を備え、その先に回転自在な吸口継手７を接続している。…下ケース３前側下方に横長の吸込口８を形設し、吸込口８の前方に可焼性を有し吸込口８内の吸込圧力を保持する圧力制御板９を横方向に配設している。該圧力制御板９は数箇所切欠き部…を設けてある。又、下ケース３は前側下方にローラ10を、後方下方に車輪11を回動自在に軸止され、該ローラ10と車輪11によって下ケース３の下面と床面との間に一定の間隔を維持出来るようになっている。…吸口１の内部には、回転清掃体13を収納する吸込口室14、吸込口８から入った塵埃をケーシング６及び、吸口継手７へ導く連絡路15、回転清掃体13の駆動源となるモータ16を収納するモータ室17更に、モータ16の回転を制御する制御基板18がある。」（段落【0007】、【0008】、【0009】）
(7)「回転掃除体13Bは、螺旋状に形設された発泡樹脂製のロータリーコア22Bと一方にプーリー、他方に断面台形状の歯を有する摩擦車20（従動側）を嵌合した摩擦プーリー21を配設し、両端軸受により回転自在に軸支し、すべり軸受24を圧入した軸受カバー25を下ケース３に設けた一対の対向した支持リブ26，27により保持している。…回転掃除体13Bには、長手方向に螺旋状に連続した略Ｃの字状の嵌合溝を有し、この嵌合溝に嵌合する突起12aを有した軟質可撓性を有するブレード12が対向するように嵌着されている。また、長細く一様な幅で裁断され、拭きブラシ71dがロータリーコア22Bのブラシ台65固定面57に当接され、ブレード12と９０度対向するように支持されている。…拭きブラシ71dは生地69の裏側に、溝板状の金属あるいは合成樹脂よりなるブラシ台65dに接着剤等により固着されている。ブラシ台65dは拭きブラシ71d長手方向の端部よりも大きくし、その端部を、回転掃除体13dの拭きブラシ71d支持の端部に略コの字状の支持部72を設け、この支持部72内に突出したブラシ台65d先端を挿入することで固持される。拭きブラシ71d外径は、ブレード12外径よりも大きく、且つ、吸口１の吸込口８室底部より突出し、木床や畳などの掃除面に当接するように寸法を設定している。このため掃除面に吸口１を置いたとき、掃除面と拭きブラシ71dは常に接触する寸法になっている。…次に、絨毯の掃除の際には、塵埃の掻き揚げ効果の高い可撓性を持つブレード12で摺設及び弾き作用により絨毯面を掻き揚げ、次にブラシ71dで絨毯面を押し付ける作用が生じるため、絨毯面はある一定の振幅で上下に加振され、この繰返しが絨毯面に波及して絨毯の毛の中にもぐり込んでいる塵埃等を浮上させ、その浮上させた塵埃を吸込気流で吸口１の吸込口８から連絡路15を経て吸口継手７を経由して掃除機本体内に吸塵される。」（段落【0048】、【0049】、【0050】、【0051】）
(8)「木床や畳等の掃除の際に、拭きブラシ71dに床から拭き上げた塵埃が拭きブラシ71d付着し汚れるため、定期的に水洗いする必要があるが、拭きブラシ71dは、とめ等の支持手段にて、ロータリーコア22Bより容易に着脱出来、水洗い等により、拭きブラシ71dに付着した汚れを落とすことが出来、長期に渡って美しい拭きブラシ71d面が維持出来使い勝手に優れた効果を有する。…また、吸口１の底面より突出量がブレード12の突出量よりも、拭きブラシ71dが大きいため、例えばフローリング木床等にある溝等によく入り込むため、溝内に入っている微細塵の捕集効果が高い。」（段落【0053】、【0054】）
　したがって、先願明細書２には、以下の発明が記載されているものと認める。
「底面に開口を有する吸口１と、前記開口に臨ませて吸口１に収納された回転清掃体13とを備え、前記回転清掃体13は、回転中心に対して相対向する位置に長手方向に形成された一対の溝が略等間隔複数対形成された回転掃除体13Bと、対の溝に配設された拭きブラシ71dと、他の対の溝に配設された軟質可撓性の薄板状のブレードとからなり、前記ブレードの回転半径を、前記ブラシ部材の回転半径よりも小さく形成したことを特徴とする電気掃除機の吸口」
　
ウ．対比・判断
(1)本件発明１と先願明細書１に記載された発明を対比すると、後者の「吸込口本体」、「回転ブラシ21」、「溝23b，23d」、「回転体22」、「ブラシ組品24」、「ゴムや塩化ビニール等の軟質材よりなる薄板状のブレード組品25」は、その構成、機能からみて、前者の「吸込具本体」、「回転ブラシ」、「溝」、「回転体」、「ブラシ部材」、「弾性材製の薄板状のブレード」に相当するものと認められるから、両者は、
「底面に開口を有する吸込具本体と、前記開口に臨ませて吸込具本体に収納された回転ブラシとを備え、前記回転ブラシは、回転中心に対して相対向する位置に長手方向に一対の溝が形成された回転体と、前記溝の一方に配設されたブラシ部材と、前記溝の他方に配設された弾性材製の薄板状のブレードとからなり、前記ブレードの回転半径を、前記ブラシ部材の回転半径よりも小さくしたことを特徴とする電気掃除機の床用吸込具」の点で一致し、
　前記ブレードの回転半径を、前者は「吸込具本体の開口から外側へ出ない寸法に形成」したのに対し、後者は、その点が明瞭でない点で一応相違している。
　そこで、この相違点について検討すると、本件発明１において、前記ブレードの回転半径を、「吸込具本体の開口から外側へ出ない寸法」とした点の技術的意義は、本件特許明細書の記載からすると、床面を掃除する場合にブレードが床面に当たらないということにあり、他に技術的意義が存するとは認められないところ、電気掃除機の一般的な構造からして、床面と吸込具開口（吸込口）面との間にはわずかな隙間しか存在しないことが周知であるから、上記の点は、ブレードが床面に当たることのないように、ブレード先端と床面との間にわずかの隙間を形成することを意味しているにすぎない。
　そうだとすると、先願明細書１に記載された発明のブレードも、ブレード先端と床面との間にわずかな隙間を形成しているという本件発明１と同じ構造を有するものであるから（段落【0053】の記載参照）、実質上、ブレードの寸法は吸込具本体の開口から外側へ出ない寸法に設定されていると認めるのが妥当である。
　したがって、両者は相違点がなく、同一発明であるものと認められる。
　そして、本件発明１をした者が先願明細書１に係る発明の発明者と同一であるとも、本件発明１の特許出願の時にその出願人と先願明細書１の特許出願の出願人とが同一の者であるとも認められない。
  
(2)本件発明２と先願明細書２に記載された発明を対比すると、後者の「吸口１」、「回転清掃体13」、「回転掃除体13B」、「拭きブラシ71d」、「軟質可撓性を有するブレード」は、その構成、機能からみて、前者の「吸込具本体」、「回転ブラシ」、「回転体」、「ブラシ部材」、「弾性材製の薄板状のブレード」に相当するものと認められるから、両者は、
「底面に開口を有する吸込具本体と、前記開口に臨ませて吸込具本体に収納された回転ブラシとを備え、前記回転ブラシは、回転中心に対して相対向する位置に長手方向に形成された一対の溝が略等間隔複数対形成された回転体と、対の溝に配設されたブラシ部材と、他の対の溝に配設された弾性材製の薄板状のブレードとからなり、前記ブレードの回転半径を、前記ブラシ部材の回転半径よりも小さく形成したことを特徴とする電気掃除機の床用吸込具」の点で一致し、
　前記ブレードの回転半径を、前者は、「前記吸込具本体の開口から外側へ出ない寸法に形成」したのに対し、後者は、その点が明瞭でない点で一応相違する。
　そこで、この相違点について検討すると、本件発明２において、前記ブレードの回転半径を、「吸込具本体の開口から外側へ出ない寸法」とした点の技術的意義は、本件特許明細書の記載からすると、床面を掃除する場合にブレードが床面に当たらないということにあり、他に技術的意義が存するとは認められないところ、電気掃除機の一般的な構造からして、床面と吸込具開口（吸込口）面との間にはわずかな隙間しか存在しないことが周知であるから、上記の点は、ブレードが床面に当たることのないように、ブレード先端と床面との間にわずかの隙間を形成することを意味しているにすぎない。
　そうだとすると、先願明細書２に記載された発明のブレードも、ブレード先端と床面との間にわずかな隙間を形成しているという本件発明２と同じ構造を有するものであるから（段落【0024】、【0053】の記載参照）、実質上、ブレードの寸法は吸込具本体の開口から外側へ出ない寸法に設定されていると認めるのが妥当である。
　したがって、両者は相違点がなく、同一発明であるものと認められる。
　そして、本件発明２をした者が先願明細書２に係る発明の発明者と同一であるとも、本件発明２の特許出願の時にその出願人と先願明細書２の特許出願の出願人とが同一の者であるとも認められない。
　
〔４〕むすび
　以上のとおりであるから、本件発明１、２は、特許法第２９条の２の規定により特許を受けることができない。
　したがって、本件発明１、２についての特許は拒絶の査定をしなければならない特許出願に対してされたものと認める。
　よって、特許法等の一部を改正する法律（平成６年法律第116号）附則第14条の規定に基づく、特許法等の一部を改正する法律の施行に伴う経過措置を定める政令（平成７年政令第205号）第４条第２項の規定により、結論のとおり決定する。
【異議決定日】
平成１４年７月２３日（２００２．７．２３）
【訂正の要旨】
審決（決定）の【理由】欄参照。
（５４）【発明の名称】
電気掃除機の床用吸込具
（５７）【特許請求の範囲】
　【請求項１】　底面に開口を有する吸込具本体と、前記開口に臨ませて吸込具本体に収納された回転ブラシとを備え、前記回転ブラシは、回転中心に対して相対向する位置に長手方向に一対の溝が形成された回転体と、前記溝の一方に配設されたブラシ部材と、前記溝の他方に配設された弾性材製の薄板状のブレードとからなり、前記ブレードの回転半径を、前記ブラシ部材の回転半径よりも小さく
、且つ前記吸込具本体の開口から外側へ出ない寸法に形成
　【請求項２】　底面に開口を有する吸込具本体と、前記開口に臨ませて吸込具本体に収納された回転ブラシとを備え、前記回転ブラシは、回転中心に対して相対向する位置に長手方向に形成された一対の溝が略等間隔に複数対形成された回転体と、対の溝に配設されたブラシ部材と、他の対の溝に配設された弾性材製の薄板状のブレードとからなり、前記ブレードの回転半径を、前記ブラシ部材の回転半径よりも小さく
、且つ前記吸込具本体の開口から外側へ出ない寸法に形成
【発明の詳細な説明】
　【０００１】
　【産業上の利用分野】
　本発明は、回転ブラシを有する電気掃除機の床用吸込具に関するものである。
　【０００２】
　【従来の技術】
　従来、この種の電気掃除機の床用吸込具としては、特開平１−２５９８２４号公報（Ａ４７Ｌ９／０４）に開示されているように、回転ブラシが、回転体と、この回転体に取り付けられたゴム製などのブレードとからなるものが知られている。
　【０００３】
　このような床用吸込具における回転ブラシのブレードは、掃除すべき箇所がじゅうたん、畳またはフローリング床のいずれの場合でも、掃除面に常に当接するように回転する。
　【０００４】
　【発明が解決しようとする課題】
　このような床用吸込具にあっては、じゅうたんを掃除する場合は、回転ブラシのブレードが回転してじゅうたんから塵や埃をたたき出し、良好な掃除を行うことができる。しかしながら、畳やフローリング床を掃除する場合は、回転ブラシのブレードが回転することで、畳が摩耗したり、フローリング床に傷がついたりするおそれがあった。
　【０００５】
　また、回転ブラシの回転体に、ゴム製などのブレードとブラシ部材とを取り付けた床用吸込具が提案されている。この床用吸込具では、回転ブラシのブラシ部材により畳やフローリング床を磨くことができるが、ブレードも畳やフローリング床に当たるため、畳やフローリング床に傷がつくとともに、ブラシ部材の腰が弱いため、塵埃の掻き取り効果が低いという問題があった。
　【０００６】
　本発明は、上記の実情に鑑みてなされたものであり、その目的は、じゅうたん、畳およびフローリング床のいずれの掃除面にも対応することができる電気掃除機の床用吸込具を提供することにある。
　【０００７】
　【課題を解決するための手段およびその作用】
　本発明の電気掃除機の床用吸込具は、底面に開口を有する吸込具本体と、前記開口に臨ませて吸込具本体に収納された回転ブラシとを備え、前記回転ブラシは、回転中心に対して相対向する位置に長手方向に一対の溝が形成された回転体と、前記溝の一方に配設されたブラシ部材と、前記溝の他方に配設された弾性材製の薄板状のブレードとからなり、前記ブレードの回転半径を、前記ブラシ部材の回転半径よりも小さく
、且つ前記吸込具本体の開口から外側へ出ない寸法に形成
　【０００８】
　【０００９】
　【００１０】
　ブラシ部材としては、天然や人工のブラシ材を回転体の長さと略等しい長さの帯状に構成したものが好ましく用いられる。ブレードとしては通常、ゴムや軟質樹脂からなる弾性変形可能な薄板状のものが好ましく用いられる。ブラシ部材は、畳やフローリング床における塵埃を掻き出すための他、畳やフローリング床の表面を磨くためにも用いられる。ブレードは、じゅうたんにおける塵埃を掻き出すために用いられる。
　【００１１】
　また、本発明の電気掃除機の床用吸込具は、底面に開口を有する吸込具本体と、前記開口に臨ませて吸込具本体に収納された回転ブラシとを備え、前記回転ブラシは、回転中心に対して相対向する位置に長手方向に形成された一対の溝が略等間隔に複数対形成された回転体と、対の溝に配設されたブラシ部材と、他の対の溝に配設された弾性材製の薄板状のブレードとからなり、前記ブレードの回転半径を、前記ブラシ部材の回転半径よりも小さく
、且つ前記吸込具本体の開口から外側へ出ない寸法に形成
　【００１２】
　【００１３】
　ブレードの回転半径はブラシ部材の回転半径よりも小さい。このため、じゅうたんを掃除するときには吸込具本体あるいは移動用車輪の一部がじゅうたんの中に沈むので、回転するブレードがじゅうたんの塵埃を掻き出す。一方、畳やフローリング床を掃除するときには吸込具本体あるいは移動用車輪は沈まないので、畳やフローリング床には、回転するブレードは触れずに、回転するブラシ部材だけが触れる。そして、ブラシ部材が、畳やフローリング床の塵埃を掻き出すとともに、それらの表面を磨く。
　【００１４】
　【実施例】
　以下、図面に示す４つの実施例に基づいて本発明を詳述する。なお、これらによって本発明が限定されるものではない。
　【００１５】
　実施例１
　図１および図２において、電気掃除機の床用吸込具Ｍ１は、吸込具本体１と回転ブラシ４と駆動源としての電動機５とを備えてなる。
　【００１６】
　吸込具本体１は、偏平であり、掃除面に対向する底カバー２の前方に吸込用開口（吸込口）３が設けられている。回転ブラシ４は、吸込具本体１の開口３の内部に掃除面に対し水平にかつ回転可能に設けられている。そして、掃除面に当接して回転することにより掃除面の塵や埃を掻き出す。電動機５は、吸込具本体１の内部で回転ブラシ４の後方に配設されている。そして、回転ブラシ４を回転駆動させる。
　【００１７】
　電動機５と回転ブラシ４との間には、伝動ベルト６が張り渡されている。７はベンド部であり、これは電気掃除機の掃除機本体における延長管（図示略）に接続される。
　【００１８】
　回転ブラシ４は、長手方向に伸びる２本の溝９・１０を有する回転体８と、この回転体８の２本の溝９・１０にそれぞれ外方突出状に嵌め込まれた塵埃掻き出し用のブラシ部材１２およびブレード１１とを具備している。２本の溝９・１０はいずれも、入口が狭く、内部が広いものである。２本の溝９・１０は、互いに１８０°の角度をなして、かつ回転体８の全長にわたって、ゆるやかならせん状に形成されている。
　【００１９】
　ブラシ部材１２は、回転体８の長さと略等しい長さの帯状に構成したものである。ブレード１１はゴムや軟質樹脂からなる薄板状であり、回転体８の長さと略等しい長さに構成されており、弾性変形可能なものである。また、ブレード１１は、その回転半径がブラシ部材１２の回転半径よりも小さく、しかも、吸込具本体１の底面の開口３から外側へ出ない寸法にされている。
　【００２０】
　回転体８におけるブラシ部材１２が嵌め込まれた溝１０の開口縁には、互いに対向して回転体８の全長にわたって伸びる一対の膨出部１３・１３が設けられている。
　【００２１】
　これらの膨出部１３・１３は、図３に拡大して示すように、ブラシ部材１２の基端を挟持してその腰を強くするとともに、回転ブラシ４におけるブラシ部材１２の側とブレード１１の側との重量バランス調整を行うためのものである。
　【００２２】
　この床用吸込具Ｍ１は、次のようにして用いられる。すなわち、じゅうたんを掃除する際には、吸込具本体１に取り付けられた車輪１４・１５の一部がじゅうたんの中に沈むので、回転ブラシ４が回転すると、回転するブレード１１がじゅうたんの塵埃を掻き出す。
　【００２３】
　一方、畳やフローリング床を掃除する際には、吸込具本体１は沈まないので、回転ブラシ４が回転すると、畳やフローリング床には、回転するブレード１１は触れずに、回転するブラシ部材１２だけが触れる。そして、ブラシ部材１２が、畳やフローリング床の塵埃を掻き出すとともに、それらの表面を磨く。このとき、ブラシ部材１２は膨出部１３・１３により挟持されてその腰が強くされているため、塵埃の掻き出しと表面磨きとの効果が大きい。
　【００２４】
　この床用吸込具Ｍ１にあっては、さらに、回転体８における膨出部１３・１３により、回転ブラシ４の重量バランス調整が行われているため、回転ブラシ４の回転時に大きな振動や騒音の発生するおそれを防止することができる。
　【００２５】
　実施例２
　図４において、電気掃除機の床用吸込具Ｍ２における回転ブラシ２４は、長手方向に伸びるゆるやかならせん状の２本の溝９・１０を有する回転体２８と、この回転体２８の２本の溝９・１０にそれぞれ外方突出状に嵌め込まれた塵埃掻き出し用のブラシ部材１２およびブレード１１とを具備している。
　【００２６】
　回転体２８は、実施例１における回転体８とは異なり、断面形状が回転対称形である。この床用吸込具Ｍ２の他の部分の構成は実施例１と同様であるので、同じ符号を付すにとどめて、詳しい説明を省略する。
　【００２７】
　この床用吸込具Ｍ２は、次のようにして用いられる。すなわち、じゅうたんを掃除する際には、吸込具本体１に取り付けられた車輪１４・１５の一部がじゅうたんの中に沈むので、回転ブラシ２４が回転すると、回転するブレード１１がじゅうたんの塵埃を掻き出す。一方、畳やフローリング床を掃除する際には、吸込具本体１は沈まないので、回転ブラシ２４が回転すると、畳やフローリング床には、回転するブレード１１は触れずに、回転するブラシ部材１２だけが触れる。そして、ブラシ部材１２が、畳やフローリング床の塵埃を掻き出すとともに、それらの表面を磨く。
　【００２８】
　この床用吸込具Ｍ２は、ブラシ部材１２と比較して重量の大きいブレード１１の回転半径をブラシ部材１２の回転半径よりも小さくしたので、両者の重量差が従来よりも軽減されている。したがって、回転ブラシ２４の回転時に大きな振動や騒音の発生するおそれを防止することができる。また、吸込具本体１が沈まない畳やフローリング床の掃除時には、ブレード１１が掃除面に当接せず、傷や摩耗の発生を防止することができる。
　【００２９】
　実施例３
　床用吸込具Ｍ２の回転ブラシ２４に代えて、図５に示すような回転ブラシ３４を用いることもできる。すなわち、回転ブラシ３４は断面形状が回転対称形であ。そして、長手方向に伸びる２種類で４本の溝９・９・３０・３０を有する回転体３８と、回転体３８の溝９・９・３０・３０にそれぞれ外方突出状に嵌め込まれた２つのブラシ部材３２および２つのブレード３１とを備えている。各ブレード３１は、その回転半径が各ブラシ部材３２の回転半径よりも小さく、しかも、吸込具本体の底面の開口から外側へ出ない寸法にされている。
　【００３０】
　このような回転ブラシ３４を備えた床用吸込具は、実施例２と同様な効果を奏する。
　【００３１】
　実施例４
　図６において、電気掃除機の床用吸込具Ｍ３は、吸込具本体１と回転ブラシ４４と駆動源としての電動機５とを備えてなる。
　【００３２】
　回転ブラシ４４は、図７に示すように回転対称形であり、長手方向に伸びる２本の溝１９・１９を有する回転体４８と、この回転体４８の２本の溝１９・１９にそれぞれ外方突出状に嵌め込まれた塵埃掻き出し用のパイル部材４２およびブレード４１とを具備している。２本の溝１９・１９は同じ形状であり、いずれも、入口が狭く、内部が広いものである。２本の溝１９・１９は、互いに１８０°の角度をなして、かつ回転体４８の全長にわたって、形成されている。
　【００３３】
　パイル部材４２は、起毛したパイル材を回転体４８の長さと略等しい長さの帯状に構成したものである。ブレード４１はゴムや軟質樹脂からなる薄板状であり、回転体４８の長さと略等しい長さに構成されており、弾性変形可能なものである。また、ブレード４１は、その回転半径がパイル部材４２の回転半径よりも小さく、しかも、吸込具本体１の底面の開口３から外側へ出ない寸法にされている。
　【００３４】
　このブレード４１は、図８に示すように、その先端側（掃除面に触れる側）に８つの切欠部４１ａ……４１ａが設けられたものである。これらの切欠部４１ａ……４１ａは、互いに同じ大きさのＵ字形であり、等間隔でブレード４１の全長にわたって設けられている。
　【００３５】
　この床用吸込具Ｍ３は、じゅうたんの掃除の際、回転ブラシ４４のブレード４１が塵埃を掻き出す。このとき、ブレード４１には８つの切欠部４１ａ……４１ａが設けられているので、それらの切欠部４１ａ……４１ａのエッジが、掃除面から髪の毛や糸屑を効率よく掻き取る。また、畳やフローリング床の掃除の際、回転ブラシ４４のパイル部材４２における細い繊維が、畳の目やフローリング床の継ぎ目の中に入り込んで、塵埃を掻き取る。さらに、この床用吸込具Ｍ３は、パイル部材４２と比較して重量の大きいブレード４１に８つの切欠部４１ａ……４１ａを設けたので、両者の重量差が従来よりも軽減されている。したがって、回転ブラシ４４の回転時に大きな振動や騒音の発生するおそれを防止することができる。
　【００３６】
　【発明の効果】
　本発明の電気掃除機の床用吸込具は、じゅうたん、畳及びフローリング床のいずれの掃除面にも対応することができる。即ち、じゅうたんを掃除する際は、ブレードで塵埃を効率よく掻き出すことができ、畳及びフローリング床を掃除する際は、ブレードが掃除面に当接しないため、畳及びフローリング床を傷つけるおそれがない。
【図面の簡単な説明】
　【図１】
　本発明の実施例１に係る電気掃除機の床用吸込具を側面から見た内部構成説明図。
　【図２】
　その床用吸込具を底面から見た内部構成説明図。
　【図３】
　その床用吸込具を構成する回転ブラシの断面構成説明図。
　【図４】
　本発明の実施例２に係る電気掃除機の床用吸込具を側面から見た内部構成説明図。
　【図５】
　本発明の実施例３に係る電気掃除機の床用吸込具を構成する回転ブラシの断面構成説明図。
　【図６】
　本発明の実施例４に係る電気掃除機の床用吸込具を底面から見た内部構成説明図。
　【図７】
　その床用吸込具を構成する回転ブラシの断面構成説明図。
　【図８】
　その回転ブラシを構成するブレードの正面構成説明図。
　【符号の説明】
　　１　　　　　吸込具本体
　　３　　　　　吸込用開口
　　４　　　　　回転ブラシ
　　５　　　　　電動機
　　８　　　　　回転体
　　９　　　　　溝
　１０　　　　　溝
　１１　　　　　ブレード
　１２　　　　　ブラシ部材
　１３　　　　　膨出部
　１９　　　　　溝
　２４　　　　　回転ブラシ
　２８　　　　　回転体
　３０　　　　　溝
　３１　　　　　ブレード
　３２　　　　　ブラシ部材
　３４　　　　　回転ブラシ
　３８　　　　　回転体